(57)【要約】【課題】互いに異なる媒体に貼付部材を貼り付ける操作によってこれらの媒体を関連付けて管理する。【解決手段】テープ装置の画像処理部６１ａでは、画像取得部６１１が、媒体から読み取られた符号画像を取得し、ドット配列生成部６１２が、符号画像からドット配列を生成する。また、データ処理部６１ｂでは、符号配列生成部６１３が、ドット配列から符号配列を生成し、識別情報取得部６１４が、符号配列から識別符号を検出し復号して識別情報を取得し、位置情報取得部６１５が、符号配列から位置符号を検出し復号して位置情報を取得し、関連付け情報生成部６１７が、媒体にまたがってテープを貼り付ける操作を行った場合に媒体を関連付ける関連付け情報を生成し、日時情報取得部６１８が、貼り付ける操作を行った日時を示す日時情報を取得し、通信制御部６１９が、識別情報、関連付け情報、日時情報を外部に送信する。【選択図】図９
2010231357.tif 000002
【特許請求の範囲】
【請求項１】
媒体の識別情報が印刷された当該媒体に貼付部材を貼り付ける操作に応じて当該媒体から読み取られた当該識別情報を取得する識別情報取得手段と、
第１の識別情報と、当該第１の識別情報とは異なる第２の識別情報とが、前記識別情報取得手段により取得された場合に、当該第１の識別情報が印刷された第１の媒体と、当該第２の識別情報が印刷された第２の媒体とが前記貼付部材を貼り付ける操作によって関連付けられていることを示す関連付け情報を生成する生成手段と
を備えたことを特徴とする貼付状態管理装置。
【請求項２】
前記媒体上の位置情報が更に印刷された当該媒体に前記貼付部材を貼り付ける操作に応じて当該媒体から読み取られた当該位置情報を取得する位置情報取得手段を更に備え、
前記生成手段は、前記位置情報取得手段により取得された前記位置情報のうち、前記第１の媒体から読み取られた第１の位置情報と、前記第２の媒体から読み取られた第２の位置情報とに基づいて、当該第１の媒体と当該第２の媒体との位置関係を更に示す前記関連付け情報を生成することを特徴とする請求項１に記載の貼付状態管理装置。
【請求項３】
前記生成手段は、前記第１の識別情報が前記第１の媒体の端部として定められた領域から読み取られたかどうか、又は、前記第２の識別情報が前記第２の媒体の端部として定められた領域から読み取られたかどうかに基づいて、当該第１の媒体と当該第２の媒体の重なりの順序を更に示す前記関連付け情報を生成する請求項１又は２に記載の貼付状態管理装置。
【請求項４】
前記関連付け情報に基づいて、前記第１の媒体と前記第２の媒体とを表す画像が表示されるように制御する制御手段を更に備えたことを特徴とする請求項１乃至３の何れかに記載の貼付状態管理装置。
【請求項５】
前記生成手段は、前記第１の媒体と前記第２の媒体とに前記貼付部材を貼り付ける操作が行われた日時を更に示す前記関連付け情報を生成し、
前記制御手段は、指定された日時又は日時の範囲に基づいて、前記関連付け情報が示す日時に行われた操作を再現すべきと判定した場合に、当該関連付け情報に基づいて、前記画像が表示されるように制御することを特徴とする請求項４に記載の貼付状態管理装置。
【請求項６】
前記生成手段は、前記第１の媒体と前記第２の媒体とに前記貼付部材を貼り付ける操作が行われた作業単位を更に示す前記関連付け情報を生成し、
前記制御手段は、指定された作業単位に基づいて、前記関連付け情報が示す作業単位において行われた操作を再現すべきと判定した場合に、当該関連付け情報に基づいて、前記画像が表示されるように制御することを特徴とする請求項４に記載の貼付状態管理装置。
【請求項７】
前記制御手段は、前記第１の媒体と前記第２の媒体の少なくとも何れか一方の属性を反映させた前記画像が表示されるように制御することを特徴とする請求項４乃至６の何れかに記載の貼付状態管理装置。
【請求項８】
媒体上の位置情報が印刷された当該媒体に貼付部材を貼り付ける操作に応じて当該媒体から読み取られた当該位置情報を取得する位置情報取得手段と、
第１の位置情報と、当該第１の位置情報までの位置情報の規則性を途切れさせる第２の位置情報とが、前記位置情報取得手段により取得された場合に、当該第１の位置情報が印刷された第１の媒体と、当該第２の位置情報が印刷された第２の媒体とが前記貼付部材を貼り付ける操作によって関連付けられていることを示す関連付け情報を生成する生成手段と
を備えたことを特徴とする貼付状態管理装置。
【請求項９】
コンピュータに、
媒体の識別情報が印刷された当該媒体に貼付部材を貼り付ける操作に応じて当該媒体から読み取られた当該識別情報を取得する機能と、
第１の識別情報と、当該第１の識別情報とは異なる第２の識別情報とが、取得された場合に、当該第１の識別情報が印刷された第１の媒体と、当該第２の識別情報が印刷された第２の媒体とが前記貼付部材を貼り付ける操作によって関連付けられていることを示す関連付け情報を生成する機能と
を実現させるためのプログラム。
【発明の詳細な説明】
【技術分野】
【０００１】
本発明は、貼付状態管理装置、プログラムに関する。
【背景技術】
【０００２】
プリントアウト表面を手動で編集することにより、電子的に記憶された文書に変更を加える技術が知られている（例えば、特許文献１参照)。この特許文献１の技術では、まず、電子的に記憶された文書を、位置コーディングパターンを備えた表面に印刷する。次に、位置コーディングパターン読取り手段を備えたデジタルペンと表面にマーキングを付けるペンポイントとでプリントアウト表面を手動で編集する。すると、このマーキングがコンピュータに転送され、コンピュータ内で解釈され、この解釈に基づいて記憶済み文書に変更が加えられる。
【先行技術文献】
【特許文献】
【０００３】
【特許文献１】特表２００３−５２８３８８号公報
【発明の概要】
【発明が解決しようとする課題】
【０００４】
本発明の目的は、互いに異なる媒体に貼付部材を貼り付ける操作によってこれらの媒体を関連付けて管理することにある。
【課題を解決するための手段】
【０００５】
請求項１に記載の発明は、媒体の識別情報が印刷された当該媒体に貼付部材を貼り付ける操作に応じて当該媒体から読み取られた当該識別情報を取得する識別情報取得手段と、第１の識別情報と、当該第１の識別情報とは異なる第２の識別情報とが、前記識別情報取得手段により取得された場合に、当該第１の識別情報が印刷された第１の媒体と、当該第２の識別情報が印刷された第２の媒体とが前記貼付部材を貼り付ける操作によって関連付けられていることを示す関連付け情報を生成する生成手段とを備えたことを特徴とする貼付状態管理装置である。
請求項２に記載の発明は、前記媒体上の位置情報が更に印刷された当該媒体に前記貼付部材を貼り付ける操作に応じて当該媒体から読み取られた当該位置情報を取得する位置情報取得手段を更に備え、前記生成手段は、前記位置情報取得手段により取得された前記位置情報のうち、前記第１の媒体から読み取られた第１の位置情報と、前記第２の媒体から読み取られた第２の位置情報とに基づいて、当該第１の媒体と当該第２の媒体との位置関係を更に示す前記関連付け情報を生成することを特徴とする請求項１に記載の貼付状態管理装置である。
請求項３に記載の発明は、前記生成手段は、前記第１の識別情報が前記第１の媒体の端部として定められた領域から読み取られたかどうか、又は、前記第２の識別情報が前記第２の媒体の端部として定められた領域から読み取られたかどうかに基づいて、当該第１の媒体と当該第２の媒体の重なりの順序を更に示す前記関連付け情報を生成する請求項１又は２に記載の貼付状態管理装置である。
請求項４に記載の発明は、前記関連付け情報に基づいて、前記第１の媒体と前記第２の媒体とを表す画像が表示されるように制御する制御手段を更に備えたことを特徴とする請求項１乃至３の何れかに記載の貼付状態管理装置である。
請求項５に記載の発明は、前記生成手段は、前記第１の媒体と前記第２の媒体とに前記貼付部材を貼り付ける操作が行われた日時を更に示す前記関連付け情報を生成し、前記制御手段は、指定された日時又は日時の範囲に基づいて、前記関連付け情報が示す日時に行われた操作を再現すべきと判定した場合に、当該関連付け情報に基づいて、前記画像が表示されるように制御することを特徴とする請求項４に記載の貼付状態管理装置である。
請求項６に記載の発明は、前記生成手段は、前記第１の媒体と前記第２の媒体とに前記貼付部材を貼り付ける操作が行われた作業単位を更に示す前記関連付け情報を生成し、前記制御手段は、指定された作業単位に基づいて、前記関連付け情報が示す作業単位において行われた操作を再現すべきと判定した場合に、当該関連付け情報に基づいて、前記画像が表示されるように制御することを特徴とする請求項４に記載の貼付状態管理装置である。
請求項７に記載の発明は、前記制御手段は、前記第１の媒体と前記第２の媒体の少なくとも何れか一方の属性を反映させた前記画像が表示されるように制御することを特徴とする請求項４乃至６の何れかに記載の貼付状態管理装置である。
請求項８に記載の発明は、媒体上の位置情報が印刷された当該媒体に貼付部材を貼り付ける操作に応じて当該媒体から読み取られた当該位置情報を取得する位置情報取得手段と、第１の位置情報と、当該第１の位置情報までの位置情報の規則性を途切れさせる第２の位置情報とが、前記位置情報取得手段により取得された場合に、当該第１の位置情報が印刷された第１の媒体と、当該第２の位置情報が印刷された第２の媒体とが前記貼付部材を貼り付ける操作によって関連付けられていることを示す関連付け情報を生成する生成手段とを備えたことを特徴とする貼付状態管理装置である。
請求項９に記載の発明は、コンピュータに、媒体の識別情報が印刷された当該媒体に貼付部材を貼り付ける操作に応じて当該媒体から読み取られた当該識別情報を取得する機能と、第１の識別情報と、当該第１の識別情報とは異なる第２の識別情報とが、取得された場合に、当該第１の識別情報が印刷された第１の媒体と、当該第２の識別情報が印刷された第２の媒体とが前記貼付部材を貼り付ける操作によって関連付けられていることを示す関連付け情報を生成する機能とを実現させるためのプログラムである。
【発明の効果】
【０００６】
請求項１の発明によれば、互いに異なる媒体に貼付部材を貼り付ける操作によってこれらの媒体を関連付けて管理することができる。
請求項２の発明によれば、互いに異なる媒体に貼付部材を貼り付ける操作によってこれらの媒体を関連付けた場合に、これらの媒体の位置関係も管理することができる。
請求項３の発明によれば、互いに異なる媒体に貼付部材を貼り付ける操作によってこれらの媒体を関連付けた場合に、これらの媒体の重なり順序も管理することができる。
請求項４の発明によれば、互いに異なる媒体に貼付部材を貼り付ける操作によるこれらの媒体の関連付けを表示画像として再現することができる。
請求項５の発明によれば、互いに異なる媒体に貼付部材を貼り付ける操作のうち特定の日時に行われた操作によるこれらの媒体の関連付けを表示画像として再現することができる。
請求項６の発明によれば、互いに異なる媒体に貼付部材を貼り付ける操作のうち特定の作業単位において行われた操作によるこれらの媒体の関連付けを表示画像として再現することができる。
請求項７の発明によれば、互いに異なる媒体に貼付部材を貼り付ける操作によるこれらの媒体の関連付けを媒体の属性と共に表示画像として再現することができる。
請求項８の発明によれば、互いに異なる媒体に貼付部材を貼り付ける操作によってこれらの媒体を関連付けて管理することができる。
請求項９の発明によれば、互いに異なる媒体に貼付部材を貼り付ける操作によってこれらの媒体を関連付けて管理することができる。
【図面の簡単な説明】
【０００７】
【図１】本発明の実施の形態が適用されるシステム構成を示した図である。
【図２】本発明の実施の形態における貼付状態の再現処理の概要を示した図である。
【図３】本発明の実施の形態における文書サーバの機能構成を示したブロック図である。
【図４】本発明の実施の形態における識別情報サーバの機能構成を示したブロック図である。
【図５】本発明の実施の形態における印刷文書出力時の動作を示したシーケンス図である。
【図６】本発明の実施の形態で生成される符号画像の例を示した図である。
【図７】本発明の実施の形態で記憶される媒体管理情報の例を示した図である。
【図８】本発明の実施の形態におけるテープ装置の機構を示した図である。
【図９】本発明の実施の形態におけるテープ装置の制御回路の機能構成を示したブロック図である。
【図１０】本発明の実施の形態における印刷文書の貼り付け時の動作を示したシーケンス図である。
【図１１−１】本発明の実施の形態で記憶される関連付け情報の例を示した図である。
【図１１−２】本発明の実施の形態で記憶される関連付け情報における座標及び傾き角の算出方法について説明するための図である。
【図１２】本発明の実施の形態における電子文書の表示時の動作を示したシーケンス図である。
【図１３】本発明の実施の形態を実現可能なコンピュータのハードウェア構成図である。
【発明を実施するための形態】
【０００８】
以下、添付図面を参照して、本発明の実施の形態について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、テープ装置６０が通信装置７０を介して接続されている。
【０００９】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【００１０】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、単体のプリンタや印刷機であってもよいし、他にスキャナや通信の機能を備えた所謂複合機であってもよい。ここで、画像形成装置４０における画像形成方式としては、例えば、電子写真方式を用いるとよいが、その他の方式を用いてもよい。尚、以下では、媒体に付与する識別情報を識別情報サーバ３０が発行するものとして説明するが、システム内で重複なく発行できるのであれば識別情報はどの装置で発行してもよく、この画像形成装置４０で発行するようにしてもよい。その場合は、例えば、画像形成装置４０の機械番号と画像形成装置４０におけるプリントカウントの値とを結合したものを識別情報として用いるとよい。
【００１１】
端末装置５０は、印刷文書に対するデジタルペン（図示せず）による筆記を電子化した情報（以下、「筆跡情報」という）を、印刷文書に記録された画像の元となる電子文書に反映させるために識別情報サーバ３０に送信するコンピュータ装置である。また、筆跡情報を反映する対象の電子文書を図示しないディスプレイに表示し、その上に筆跡情報を重ねて表示するようにしてもよい。更に、本実施の形態では、ある印刷文書に別の印刷文書をテープ装置６０で貼り付けた際にこれらの印刷文書の貼付状態を電子化した情報（以下、「貼付情報」という）を識別情報サーバ３０に送信する。その場合、貼り付けの土台となる電子文書を図示しないディスプレイに表示し、その上に貼り付けられた電子文書を重ねて表示するようにしてもよい。ここで、端末装置５０としては、例えば、パーソナルコンピュータやワークステーション、その他のコンピュータを用いるとよい。
【００１２】
テープ装置６０は、印刷文書上に貼付部材の一例としてのテープを貼り付けるために用いられる装置である。また、媒体に印刷された符号画像を読み取る撮像素子を備える。そして、撮像素子で読み取った符号画像から識別情報及び位置情報を検出し、どの媒体のどの位置に別のどの媒体を貼り付けたかを示す貼付情報をこの識別情報及び位置情報に基づいて生成し記憶する。尚、本実施の形態では、貼付部材としてテープを例にとり説明するが、テープに限られるものではなく、媒体を並べて貼り付けることができる部材であれば、如何なる部材を用いてもよい。
通信装置７０は、テープ装置６０から貼付情報を取得して端末装置５０に送信する装置である。例えば、テープ装置６０を載せる台を設け、この台にテープ装置６０が載せられると、テープ装置６０に記憶された貼付情報を端末装置５０に送信するようにするとよい。ここで、端末装置５０との間の通信の方式としては、ＵＳＢ（Universal Serial Bus）、Ｂｌｕｅｔｏｏｔｈ（登録商標）、赤外線通信機能等、種々の方式が考えられる。また、図では、通信装置７０をテープ装置６０と別体のものとして示しているが、必ずしも別体である必要はなく、一体に構成してもよい。
【００１３】
尚、本明細書では、媒体に記録する画像の元となる電子データを「電子文書」と表記するが、これは、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、媒体、更にはテープ装置６０について、それぞれを一意に識別するための識別情報を用いて処理を行うが、単に「識別情報」というときは、このうち、媒体の識別情報を意味するものとする。
【００１４】
ところで、このようなコンピュータシステムで出力された複数の印刷文書は、上述したように、テープ装置６０で貼り合わせる場合がある。例えば、ベースシートとして符号画像付きの模造紙を用意し、その上に符号画像付きの紙文書を貼り付けて、アイデア出し等の作業を行うような場合である。
このような場合に、本実施の形態では、ベースシートに貼り付けた複数の紙文書の位置関係を把握し、複数の紙文書を組み合わせた作業での紙文書のレイアウトを電子情報として再現する。
【００１５】
図２は、本実施の形態の概略動作を示した図である。
まず、（ａ）のように、ベースシートと紙文書Ａを用意する。
次に、（ｂ）のように、テープ装置６０でこれらにまたがってテープを貼り付ける。
その後、例えば、ＰＣ（Personal Computer）でベースシートを呼び出すと、（ｃ）のように、ベースシートを表すオブジェクトが表示され、その上の紙文書Ａを貼り付けた箇所に紙文書Ａを表すオブジェクトが表示される。尚、これらのオブジェクトは、別々のオブジェクトであり、例えば、紙文書Ａのオブジェクトをベースシートのオブジェクトとは独立に移動させることも可能になっている。
【００１６】
以下、このような概略動作を行う本実施の形態について、具体的に説明する。
本実施の形態では、文書サーバ２０が電子文書を管理し、電子文書の表示が指示されると、識別情報サーバ３０が電子文書を表示するための表示情報を生成する。
このように、本実施の形態では、文書サーバ２０及び識別情報サーバ３０が中心となって動作するので、これらのサーバの構成について詳細に説明する。
まず、文書サーバ２０の構成について説明する。
図３は、文書サーバ２０の機能構成例を示したブロック図である。
図示するように、文書サーバ２０は、受信部２１と、識別情報取得部２２と、筆跡管理部２３と、筆跡管理情報記憶部２４とを備える。また、識別符号生成部２５ａと、位置符号生成部２５ｂと、符号配置部２５ｃと、パターン画像記憶部２５ｄと、符号画像生成部２５ｅとを備える。更に、文書画像生成部２６と、画像合成部２７と、送信部２９とを備える。
【００１７】
受信部２１は、端末装置１０から印刷要求を受信する。ここで、印刷要求には、印刷対象となる電子文書の識別情報（以下、「文書ＩＤ」という）と、印刷に関する各種設定（以下、「印刷設定」という）とが含まれる。また、受信部２１は、印刷文書に対する筆記がなされた際には、識別情報サーバ３０から、印刷文書の元となる電子文書の文書ＩＤ及びページ番号と、印刷文書に対する筆記の内容を電子化した筆跡情報とを受信する。
識別情報取得部２２は、受信部２１から文書ＩＤ及び印刷設定を取得し、これを送信部２９に渡して識別情報の発行要求の送信を指示し、これを文書画像生成部２６に渡して文書画像の生成を指示する。また、受信部２１から識別情報を取得し、これを識別符号生成部２５ａに渡して識別符号の生成を指示する。
【００１８】
筆跡管理部２３は、受信部２１が受信した文書ＩＤ、ページ番号、筆跡情報を取得し、筆跡管理情報記憶部２４に登録する。また、電子文書の表示が指示された際には、指定された文書ＩＤ、ページ番号に対応する筆跡情報を、筆跡管理情報記憶部２４から取り出す。
筆跡管理情報記憶部２４は、筆跡管理部２３によって管理される筆跡管理情報を記憶する。
【００１９】
識別符号生成部２５ａは、媒体を特定する識別情報を符号化して識別符号を生成する。
位置符号生成部２５ｂは、媒体上の座標位置を示す位置情報を符号化して位置符号を生成する。
符号配置部２５ｃは、識別符号生成部２５ａにて生成された識別符号や、位置符号生成部２５ｂにて生成された位置符号等を予め定めたレイアウトに従って２次元平面に配置し２次元の符号配列を生成する。
パターン画像記憶部２５ｄは、符号配列に格納される各符号の符号値に対応するパターン画像を記憶する。
符号画像生成部２５ｅは、符号配置部２５ｃが生成した２次元の符号配列を参照し、各符号値に対応したパターン画像を選択して符号画像を生成する。
【００２０】
文書画像生成部２６は、識別情報取得部２２から文書ＩＤ及び印刷設定を取得し、この文書ＩＤで特定される電子文書を図示しない記憶手段から読み出し、印刷設定に従ってその電子文書の文書画像を生成する。
画像合成部２７は、符号画像生成部２５ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。更に、電子文書の表示が指示された際には、識別情報サーバ３０に対して、電子文書と筆跡情報とを送信する。
【００２１】
次に、識別情報サーバ３０の構成について説明する。
図４は、識別情報サーバ３０の機能構成例を示したブロック図である。
図示するように、識別情報サーバ３０は、受信部３１と、媒体管理部３２と、媒体管理情報記憶部３３と、表示情報生成部３４と、関連付け情報記憶部３５と、送信部３９とを備える。
【００２２】
受信部３１は、文書サーバ２０から識別情報の発行要求を受信する。また、受信部３１は、印刷文書に対する筆記がなされた際には、識別情報、筆跡情報を端末装置５０から受信し、印刷文書の貼り付けがなされた際には、識別情報、関連付け情報、日時情報を端末装置５０から受信する。更に、電子文書の表示が指示された際に、端末装置５０からは、表示する電子文書を特定するための識別情報及び日時情報を受信し、文書サーバ２０からは、電子文書と筆跡情報とを受信する。
【００２３】
媒体管理部３２は、識別情報の発行要求があると、識別情報を重複することなく発行し、その際に指定された文書ＩＤ及び印刷設定を識別情報に関連付けて記憶する。また、印刷文書の貼り付けがなされた際には、関連付け情報を関連付け情報記憶部３５に記憶する。更に、電子文書の表示が指示された際には、指定された識別情報の印刷文書に関連付けられた印刷文書の識別情報（以下、「関連識別情報」という）のうちの指定された日時情報に対応するものを取得すると共に、指定された識別情報及び関連識別情報に対応する文書ＩＤ及び印刷設定を取得する。
【００２４】
媒体管理情報記憶部３３は、識別情報と、その識別情報が付与された媒体に印刷された電子文書の文書ＩＤと、それが付与された媒体に電子文書が印刷された際の印刷設定とを記憶するデータベースである。
表示情報生成部３４は、電子文書の表示が指示された際に、文書サーバ２０から取得した情報に基づいて、電子文書を表示するための表示情報を生成する。この表示情報としては、例えば、端末装置５０で表示するイメージを生成する元となるデータを生成する。本実施の形態では、画像が表示されるように制御する制御手段の一例として、表示情報生成部３４を設けている。
【００２５】
関連付け情報記憶部３５は、識別情報と、関連識別情報と、識別情報で特定される印刷文書と関連識別情報で特定される印刷文書との位置関係を示す位置関係情報と、関連付けが行われた日時を示す日時情報とを記憶するデータベースである。
【００２６】
送信部３９は、文書サーバ２０からの要求に応じて発行した識別情報を文書サーバ２０に送信する。また、印刷文書に対する筆記がなされた際には、識別情報に対応する文書ＩＤ及びページ番号（印刷設定に含まれる）、筆跡情報を文書サーバ２０に送信する。更に、電子文書の表示が指示された際には、文書サーバ２０に対して文書ＩＤ、ページ番号（印刷設定に含まれる）を送信し、端末装置５０に対して表示情報を送信する。
【００２７】
次いで、本実施の形態の動作について説明する。
本実施の形態における動作は、大きく、印刷文書の出力と、印刷文書の貼り付けと、電子文書の表示とに分けられるので、以下ではこれらを分けて説明する。
【００２８】
Ａ．印刷文書の出力
図５は、このときの文書サーバ２０及び識別情報サーバ３０の動作を示したシーケンス図である。
文書サーバ２０では、まず、受信部２１が、電子文書の印刷要求を端末装置１０から受信する（ステップ２１１）。このうち、電子文書の印刷要求には、文書ＩＤと印刷設定とが含まれる。ここで、文書ＩＤとしては、例えば、ＵＲＬ（Uniform Resource Locator）を用いるとよいが、電子文書を一意に特定することができるものであれば他の情報を用いてもよい。また、印刷設定は、ページ、部数、用紙サイズ、拡大縮小率、複数ページを１枚の媒体にまとめて出力する機能、余白等の設定を含む。
受信部２１は、これらの情報を受信すると、識別情報取得部２２に受け渡す。すると、識別情報取得部２２は、受け渡された情報のうち、文書ＩＤと印刷設定とを送信部２９に渡し、送信部２９が、これらの情報を識別情報サーバ３０に送信することで、識別情報の発行を要求する（ステップ２１２）。
【００２９】
これにより、識別情報サーバ３０では、受信部３１が、文書ＩＤと印刷設定とを受信する（ステップ３１１）。そして、文書ＩＤと印刷設定は媒体管理部３２に渡され、媒体管理部３２が、媒体管理情報記憶部３３から未使用の識別情報を取り出す（ステップ３１２）。ここで、取り出す識別情報の数は、印刷設定に応じて決められる。つまり、基本的には、印刷するページ数に印刷部数を乗じて得られる数の識別情報が取り出される。但し、設定情報中に、複数ページを１枚の媒体にまとめて出力する機能の指定等がある場合は、それも考慮される。例えば、１０ページの電子文書を２ページずつ１枚の媒体にまとめて５部印刷する場合は、２５（＝１０÷２×５）個の識別情報が取り出される。
次に、媒体管理部３２は、識別情報と文書ＩＤと印刷設定とを関連付けて媒体管理情報記憶部３３に記憶する（ステップ３１３）。そして、ステップ３１２で発行された識別情報は送信部３９に渡され、送信部３９が、文書サーバ２０に対し、識別情報を送信する（ステップ３１４）。
【００３０】
これにより、文書サーバ２０では、受信部２１が識別情報を受信する（ステップ２１３）。そして、受信部２１は、受信した識別情報を識別情報取得部２２に受け渡す。
すると、文書サーバ２０は、識別情報と位置情報とを表す符号画像を生成する（ステップ２１４）。この符号画像の生成は、具体的には、次のような処理により行われる。
即ち、まず、識別情報取得部２２が、ステップ２１３で取得した識別情報を識別符号生成部２５ａに渡し、識別符号生成部２５ａが、識別情報を符号化することで識別符号を生成する。尚、識別情報の符号化の詳細については後述する。
また、位置符号生成部２５ｂは、受信部２１から印刷設定を受け取り、印刷設定に応じた範囲の位置情報を符号化することで位置符号を生成する。尚、位置情報の符号化の詳細についても後述する。
その後、符号配置部２５ｃが、識別符号と位置符号とを予め定めたレイアウトに従って配置し、これを符号画像生成部２５ｅが、パターン画像記憶部２５ｄに記憶されたパターン画像を用いて画像化することで符号画像を生成する。
【００３１】
また、文書サーバ２０では、文書画像生成部２６が、電子文書の文書画像を生成する（ステップ２１５）。その際、文書画像生成部２６は、ステップ２１１で識別情報取得部２２が取得した文書ＩＤを受け取り、これに基づいて対象となる電子文書を図示しない記憶手段から読み出す。また、ステップ２１１で識別情報取得部２２が取得した印刷設定を受け取り、これに基づいて文書画像を生成する。
そして、画像合成部２７は、ステップ２１４で生成された符号画像と、ステップ２１５で生成された文書画像とを合成し、合成画像を生成する（ステップ２１６）。
その後、合成画像は送信部２９に渡され、送信部２９が、合成画像の印刷命令を画像形成装置４０に送信する（ステップ２１７）。ここで、合成画像の印刷命令は、例えば、文書画像の印刷命令の列からなるＰＤＬ（Page Description Language）ファイルに対し、符号画像として印刷する内容をＰＤＬコマンドとして設定したＰＤＬの形式で送信される。
【００３２】
これにより、画像形成装置４０は、文書画像を例えばＣ（シアン）、Ｍ（マゼンタ）、Ｙ（イエロー）のトナーを用いて媒体に印刷する。また、符号画像を例えばＫ（カーボンを含む黒）のトナー又は特殊トナーを用いて媒体に印刷する。
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００３３】
尚、ここでは、電子文書の画像に符号画像を合成して印刷することとしたが、白紙（ノートや付箋等）に符号画像を印刷する構成としてもよい。その場合は、ステップ２１１で受信する印刷要求に文書ＩＤを含めないようにし、ステップ３１３で識別情報と文書ＩＤ及び印刷設定との関連付けを行わないようにし、ステップ２１５における文書画像の生成は実行しないようにすればよい。
【００３４】
次に、本実施の形態で生成される符号画像について説明する。
図６は、符号画像を構成する画像等の一例を示した図である。
まず、符号画像を構成する単位パターンについて説明する。
図６（ａ）は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００３５】
ところで、図６（ａ）に示したドットは、あくまで情報表現のためのドットであり、画像を構成する最小の点を意味するドットとは必ずしも一致しない。本実施の形態において、情報表現のためのドット（図６（ａ）の最小の四角）は、６００ｄｐｉにおける２ドット×２ドットの大きさを有している。６００ｄｐｉにおける１ドットの大きさは０．０４２３ｍｍなので、情報表現のためのドット（図６（ａ）の最小の四角）の一辺は、８４．６μｍ（＝０．０４２３ｍｍ×２）である。情報表現のためのドットは、大きくなればなるほど目に付きやすくなるため、小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００３６】
次に、このような単位パターンから構成される符号ブロックについて説明する。
図６（ｂ）に、符号ブロックのレイアウトの一例を示す。尚、ここでは、画像ではなく、パターン画像によって置き換えられる直前の符号配列で示している。即ち、図６（ｂ）の最小の四角（以下、「単位ブロック」という）に、図６（ａ）のような単位パターン（３６通りの単位パターンのいずれか）が配置され、その画像が媒体に形成されることになる。
図６（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。
【００３７】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図６（ｂ）の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００３８】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列（Ｋ＝１３）を使用したとする。この場合、位置符号も５ビット単位で埋め込むため、系列長８１９１のＭ系列から５ビットずつ取り出してブロック化する。
【００３９】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００４０】
ここで、媒体管理情報記憶部３３に記憶される媒体管理情報の具体的な内容について説明する。
図７は、媒体管理情報の具体例を示した図である。
図示するように、媒体管理情報は、識別情報と、文書ＩＤと、印刷設定とが関連付けて記憶される。
このうち、識別情報は、既に述べた通り、媒体を一意に識別するための情報である。
また、文書ＩＤは、既に述べた通り、電子文書を一意に識別するための情報である。
更に、印刷設定は、既に述べた通り、端末装置１０で電子文書の印刷が要求された際に設定されたページ、用紙サイズ、拡大縮小率等の情報である。
【００４１】
図には、文書ＩＤ「ＤｏｃＡ」の電子文書の１ページ目を、識別情報「０００１０１」のＡ３サイズの媒体に１００％で印刷したことが示されている。
また、文書ＩＤ「ＤｏｃＢ」の電子文書の２ページ目を、識別情報「０００１０２」のＢ６サイズの媒体に１００％で印刷し、文書ＩＤ「ＤｏｃＣ」の電子文書の１ページ目を、識別情報「０００１０３」のＢ６サイズの媒体に１００％で印刷し、文書ＩＤ「ＤｏｃＤ」の電子文書の２ページ目を、識別情報「０００１０４」のＢ６サイズの媒体に１００％で印刷したことも示されている。
【００４２】
Ｂ．印刷文書の貼り付け
本実施の形態では、印刷文書の貼付情報がテープ装置６０から通信装置７０を介して端末装置５０に伝えられ、文書サーバ２０へ登録される。
そこで、まず、テープ装置６０の機構について説明する。
図８は、テープ装置６０の構成例を示した図である。
図示するように、テープ装置６０は、全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、テープ装置６０を印刷文書に近付けることによる周囲光の光量の減少と、テープ７１を繰り出してカッタ部７２でテープ７１を切断した後にテープ装置６０を印刷文書から遠ざけることによる周囲光の光量の増加とを検出する光センサ６２が接続されている。更に、媒体上に赤外光を照射する赤外ＬＥＤ６３と、反射光を検知することによって符号画像を読み取る赤外ＣＭＯＳ６４も接続されている。尚、赤外ＬＥＤ６３及び赤外ＣＭＯＳ６４は、周囲光の光量が予め定めた基準以下になったことを光センサ６２が検知すると動作する。更にまた、制御回路６１には、識別情報及び位置情報を記憶するための情報メモリ６５と、外部装置と通信するための通信回路６６と、テープ装置６０を駆動するためのバッテリ６７と、装置の識別情報（装置ＩＤ）を記憶する装置ＩＤメモリ６８も接続されている。
【００４３】
次に、このうち制御回路６１において実現される機能構成について更に詳細に説明する。
図９は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５とを備える。そして、更に、関連付け情報生成部６１７と、日時情報取得部６１８と、通信制御部６１９とを備える。
【００４４】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００４５】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図６（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００４６】
識別情報取得部６１４は、符号配列から同期符号の位置を基準にして識別符号を検出する。そして、画像生成時にＲＳ符号化処理で用いたパラメータを用いて識別符号を復号し、識別情報を取得する。本実施の形態では、識別情報を取得する識別情報取得手段の一例として、識別情報取得部６１４を設けている。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。本実施の形態では、位置情報を取得する位置情報取得手段の一例として、位置情報取得部６１５を設けている。
【００４７】
関連付け情報生成部６１７は、ある印刷文書に別の印刷文書を貼り付けた場合に、この２つの印刷文書を関連付けると共にそれらの位置関係を示す関連付け情報を生成する。本実施の形態では、媒体が関連付けられていることを示す関連付け情報を生成する生成手段の一例として、関連付け情報生成部６１７を設けている。
日時情報取得部６１８は、貼り付けがなされた日時を特定する日時情報を、例えば、現在時刻を保持する計時手段（図示せず）から取得する。この日時情報の一例として、本実施の形態では、ＹＹＹＹＭＭＤＤＨＨＭＭという形式の情報を取得する。例えば、２００９年３月２日１０時３０分に貼り付けがなされたとすると、『２００９０３０２１０３０』を日時情報として取得する。また、本実施の形態において、日時情報は、位置情報を取得する度に同時に取得する。
【００４８】
通信制御部６１９は、識別情報取得部６１４が取得した識別情報と、関連付け情報生成部６１７が生成した関連付け情報と、日時情報取得部６１８が取得した日時情報を通信回路６６に受け渡すことで、通信装置７０への情報送信を実現する。
【００４９】
次に、テープ装置６０が関連付け情報を生成して識別情報サーバ３０に登録する際の動作について説明する。
テープ装置６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。そして、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。更に、本実施の形態では、関連付け情報生成部６１７が、互いに貼り付けられた複数の媒体を関連付ける関連付け情報を生成する。
【００５０】
図１０は、このときの関連付け情報生成部６１７の動作例を示したフローチャートである。
関連付け情報生成部６１７は、まず、識別情報取得部６１４から識別情報を受け取り、位置情報取得部６１５から位置情報を受け取る（ステップ６２１）。
次に、関連付け情報生成部６１７は、ここで受け取った識別情報が、直前に受け取った識別情報と同じであるかどうかを判定する（ステップ６２２）。今回読み取った識別情報が前回読み取った識別情報と異なるかどうかを検証することにより、前回の読取りから今回の読取りまでの間に媒体が切り替わったことが分かるので、このような判定を行っている。
【００５１】
その結果、ステップ６２１で受け取った識別情報が直前の識別情報と同じであれば、ステップ６２６に進むが、ステップ６２１で受け取った識別情報が直前の識別情報と異なれば、次の判定に進む。
即ち、関連付け情報生成部６１７は、ステップ６２１で受け取った位置情報が、媒体の端部の位置情報であるかどうかを判定する（ステップ６２３）。尚、媒体の端部としては、媒体の縁の部分の予め定めた領域を用いればよい。
そして、ステップ６２１で受け取った位置情報が媒体の端部の位置情報であれば、ある媒体からその媒体の上に置かれた別の媒体へテープが貼り付けられたと判断し、そのような貼り付けの場合の関連付け情報を生成する（ステップ６２４）。具体的には、先にテープが貼り付けられた媒体のレイヤ番号よりも１つ大きなレイヤ番号を含む関連付け情報を生成する。尚、レイヤ番号は、重なり順序を示す情報の一例である。
【００５２】
また、ステップ６２１で受け取った位置情報が媒体の端部の位置情報でなければ、直前の位置情報が媒体の端部の位置情報であることになる。従って、この場合は、ある媒体からその媒体の下に置かれた別の媒体へテープが貼り付けられたと判断し、そのような貼り付けの場合の関連付け情報を生成する（ステップ６２５）。具体的には、先にテープが貼り付けられた媒体のレイヤ番号よりも１つ小さなレイヤ番号を含む関連付け情報を生成する。
尚、ここでは、ステップ６２１で受け取った位置情報、つまり、今回の媒体の位置情報が媒体の端部の位置情報であるかどうかを判定しているが、前回の媒体の位置情報が媒体の端部の位置情報であるかどうかを判定するようにしてもよい。
そして、関連付け情報生成部６１７は、ストローク信号を引き続き受信しているかどうかを判定し（ステップ６２６）、受信していれば、ステップ６２１に戻って処理を継続し、受信していなければ、処理を終了する。
【００５３】
その後、関連付け情報生成部６１７は、関連付け情報を通信制御部６１９に受け渡す。すると、通信制御部６１９は、識別情報取得部６１４から取得した識別情報と、関連付け情報生成部６１７から取得した関連付け情報と、日時情報取得部６１８から取得した日時情報とを通信回路６６に出力する。これにより、通信回路６６は、これらの情報を識別情報サーバ３０に送信し、識別情報サーバ３０が、関連付け情報記憶部３５に関連付け情報（日時情報を含む）を記憶することになる。
【００５４】
ここで、関連付け情報記憶部３５に記憶される関連付け情報の具体的な内容について説明する。
図１１−１（ａ）は、関連付け情報の具体例を示した図である。
図示するように、関連付け情報は、識別情報と、関連識別情報と、位置関係情報、日時情報とを対応付けたものとなっている。
このうち、識別情報は、既に述べた通り、媒体を一意に識別するための情報である。
また、関連識別情報は、既に述べた通り、識別情報で特定される媒体に関連付けられた媒体を一意に識別するための情報である。
【００５５】
更に、位置関係情報は、既に述べた通り、識別情報で特定される媒体と関連識別情報で特定される媒体との位置関係を示す情報である。図では、位置関係情報を、（媒体の左上点のＸ座標，媒体の左上点のＹ座標，媒体の傾き角，媒体のレイヤ番号）という形式で示している。ここでは、互いに関連付けられた複数の媒体のうち、最も先にテープが貼り付けられた媒体を基準媒体とする。そして、基準媒体の左上点に原点を、基準媒体上の符号画像におけるＸ方向にＸ軸を、基準媒体上の符号画像におけるＹ方向にＹ軸をそれぞれ設定した座標系を基準座標系とし、基準媒体上の符号画像におけるＹ方向を基準方向とし、基準媒体が存在するレイヤを基準レイヤ（レイヤ０）とする。この状態で、基準媒体以外の媒体の左上点の座標は、基準座標系における座標で表している。また、基準媒体以外の媒体の傾き角は、基準方向からの時計回りの角度で表している。更に、基準媒体以外の媒体のレイヤ番号は、基準レイヤとの差分（基準レイヤよりも上の場合は正の数、基準レイヤよりも下の場合は負の数）で表している。
【００５６】
図では、識別情報「０００１０１」の媒体をベースシートとし、このベースシート上に識別情報「０００１０２」、「０００１０３」、「０００１０４」の媒体を貼り付けた場合を想定している。
即ち、識別情報「０００１０１」の媒体に対し、関連識別情報により、識別情報「０００１０２」の媒体、識別情報「０００１０３」の媒体、識別情報「０００１０４」の媒体が関連付けられていることが示されている。そして、位置関係情報（０，０，０，０）により、識別情報「０００１０１」の媒体がこれに関連付けられた媒体よりも先にテープが貼り付けられた基準媒体であることが示されている。また、識別情報「０００１０２」の媒体及び識別情報「０００１０３」の媒体については、日時情報「2009/03/02 10:30」により、貼り付けが２００９年３月２日１０時３０分に行われたことが示され、識別情報「０００１０２」の媒体及び識別情報「０００１０４」の媒体については、日時情報「2009/03/02 15:30」により、貼り付けが２００９年３月２日１５時３０分に行われたことが示されている。尚、識別情報「０００１０２」の媒体については、２回の貼り付け履歴が記憶されているが、これは、２００９年３月２日１０時３０分に一旦貼り付けられた後に、同日１５時３０分に貼り直されたことを想定したものである。
【００５７】
また、識別情報「０００１０２」の媒体に対し、関連識別情報により、識別情報「０００１０１」の媒体が関連付けられていることが示されている。このうちの１つの関連付けでは、位置関係情報（Ｘａ，Ｙａ，α，１）により、識別情報「０００１０２」の媒体の左上点の座標が基準座標系において（Ｘａ，Ｙａ）であり、識別情報「０００１０２」の媒体の傾き角が基準方向に対してαであり、識別情報「０００１０２」の媒体のレイヤが基準レイヤの１つ上のレイヤであることが示されている。また、日時情報「2009/03/02 10:30」により、貼り付けが２００９年３月２日１０時３０分に行われたことが示されている。そして、このうちのもう１つの関連付けでは、位置関係情報（Ｘａ’，Ｙａ’，α’，１）により、識別情報「０００１０２」の媒体の左上点の座標が基準座標系において（Ｘａ’，Ｙａ’）であり、識別情報「０００１０２」の媒体の傾き角が基準方向に対してα’であり、識別情報「０００１０２」の媒体のレイヤが基準レイヤの１つ上のレイヤであることが示されている。また、日時情報「2009/03/02 15:30」により、貼り付けが２００９年３月２日１５時３０分に行われたことが示されている。尚、このように２回の貼り付け履歴が記憶されているのは、上述の通り、２００９年３月２日１０時３０分に一旦貼り付けられた後に、同日１５時３０分に貼り直されたことを想定しているからである。
【００５８】
更に、識別情報「０００１０３」の媒体に対し、関連識別情報により、識別情報「０００１０１」の媒体が関連付けられていることが示されている。そして、位置関係情報（Ｘｂ，Ｙｂ，β，１）により、識別情報「０００１０３」の媒体の左上点の座標が基準座標系において（Ｘｂ，Ｙｂ）であり、識別情報「０００１０３」の媒体の傾き角が基準方向に対してβであり、識別情報「０００１０３」の媒体のレイヤが基準レイヤの１つ上のレイヤであることが示されている。また、日時情報「2009/03/02 10:30」により、貼り付けが２００９年３月２日１０時３０分に行われたことが示されている。
更にまた、識別情報「０００１０４」の媒体に対し、関連識別情報により、識別情報「０００１０１」の媒体が関連付けられていることが示されている。そして、位置関係情報（Ｘｃ，Ｙｃ，γ，１）により、識別情報「０００１０４」の媒体の左上点の座標が基準座標系において（Ｘｃ，Ｙｃ）であり、識別情報「０００１０４」の媒体の傾き角が基準方向に対してγであり、識別情報「０００１０４」の媒体のレイヤが基準レイヤの１つ上のレイヤであることが示されている。また、日時情報「2009/03/02 15:30」により、貼り付けが２００９年３月２日１５時３０分に行われたことが示されている。
【００５９】
次に、（ａ）の（Ｘａ，Ｙａ）及びαの算出方法について説明する。
図１１−２（ｂ）は、これらの値の算出方法について説明するための図である。尚、ここでは、識別情報「０００１０１」の媒体（基準媒体）を「ベースシート」とし、識別情報「０００１０２」の媒体を「紙文書Ａ」とする。また、座標系としては、ベースシートを基準とした基準座標系を用いるが、説明のために、紙文書Ａを基準としたｘ軸及びｙ軸も示している。
図において、太線で示したテープの軌跡は、点（Ｘ１，Ｙ１）において、ベースシート上から紙文書Ａ上へと移っている。このとき、点（Ｘ１，Ｙ１）の直前の予め定めた範囲内でベースシートから取得した位置情報により、テープの軌跡のＹ軸に対する方向角が分かる。また、点（Ｘ１，Ｙ１）の直後の予め定めた範囲内で紙文書Ａから取得した位置情報により、テープの軌跡のｙ軸に対する方向角も分かる。そこで、前者の方向角と、後者の方向角をＹ軸に対する方向角に変換して得られた方向角とが等しくなるという条件により、αを算出することができる。
【００６０】
また、（Ｘａ，Ｙａ）は、傾き角αを考慮しなければ、（Ｘ１，Ｙ１）からベクトル（ｘ１，ｙ１）を減じたものとすればよい（ｘ１、ｙ１は、それぞれ、テープの軌跡が紙文書Ａに達した点の紙文書Ａを基準とした座標系におけるｘ座標、ｙ座標）。しかし、実際は傾き角αがあるので、ベクトル（ｘ１，ｙ１）をαだけ回転したベクトルを（Ｘ１，Ｙ１）から減じたものとなる。即ち、（Ｘａ，Ｙａ）＝（Ｘ１−ｘ１＊ｃｏｓα＋ｙ１＊ｓｉｎα，Ｙ１−ｘ１＊ｓｉｎα−ｙ１＊ｃｏｓα）となる。
【００６１】
Ｃ．電子文書の表示
本実施の形態では、上記の関連付け情報に基づいて、ある印刷媒体の元の電子文書とその印刷媒体に貼り付けられた別の印刷媒体の元の電子文書とを関連付けて表示する。
その場合、ユーザは、まず、印刷媒体をデジタルペン（図示せず）で指示する。すると、デジタルペンは、識別情報を読み取り、端末装置５０に出力する。一方で、ユーザは、端末装置５０に対して、貼り付け状態を再現する対象の日時を示す日時情報を入力する。
すると、端末装置５０は、デジタルペンから伝えられた識別情報と、入力された日時情報とを識別情報サーバ３０に送信する。
【００６２】
図１２は、その後の識別情報サーバ３０及び文書サーバ２０の動作を示したシーケンス図である。
識別情報サーバ３０では、まず、受信部３１が、端末装置５０から識別情報と日時情報とを受信する（ステップ３３１）。次に、識別情報は媒体管理部３２に渡され、媒体管理部３２が、関連付け情報を参照し、識別情報及び日時情報に対応する関連識別情報を取得する（ステップ３３２）。具体的には、指定された識別情報に対応し、かつ、指定された日時情報より前の日時情報に対応する関連識別情報を取得する。その際、関連識別情報が複数存在した場合は、日時情報が新しいものを取得する。例えば、図１１−１（ａ）の関連付け情報が記憶されている場合に、識別情報「０００１０１」と日時情報「2009/03/02 12:00」が指定されたとする。すると、関連識別情報「０００１０２」のうち日時情報が「2009/03/02 10:30」であるものと、関連識別情報「０００１０３」とを取得することになる。
【００６３】
また、媒体管理部３２は、ステップ３３１で取得した識別情報とステップ３３２で取得した関連識別情報をキーとして媒体管理情報及び関連付け情報を検索し、これらの識別情報にそれぞれ対応する複数の文書ＩＤ及び印刷設定を媒体管理情報から取得すると共に、これらの識別情報にそれぞれ対応する複数の位置関係情報を関連付け情報から取得する（ステップ３３３）。そして、複数の印刷設定及び位置関係情報は、表示情報生成部３４に渡され、複数の文書ＩＤ及びページ番号（印刷設定に含まれる）は送信部３９に渡され、送信部３９がこれらの文書ＩＤ及びページ番号を文書サーバ２０に送信する（ステップ３３４）。
【００６４】
これにより、文書サーバ２０では、受信部２１が、複数の文書ＩＤ及びページ番号を受信する（ステップ２３１）。そして、これらの情報は筆跡管理部２３に受け渡され、筆跡管理部２３が、筆跡管理情報記憶部２４に記憶された筆跡管理情報を参照し、渡された複数の文書ＩＤ及びページ番号にそれぞれ対応する複数の筆跡情報を取り出す（ステップ２３２）。その後、取り出された情報は送信部２９に受け渡され、送信部２９がこれらの情報を、複数の文書ＩＤによってそれぞれ特定される複数の電子文書と共に識別情報サーバ３０に送信する（ステップ２３３）。
【００６５】
これにより、識別情報サーバ３０では、受信部３１が、複数の電子文書及び筆跡情報を受信する（ステップ３３５）。そして、これらの情報は表示情報生成部３４に渡される。
その後、表示情報生成部３４が、ステップ３３３で媒体管理部３２によって取り出され渡された印刷設定及び位置関係情報を考慮して、個々の電子文書の印刷イメージを表すオブジェクトからなる表示情報を生成し、その上に、ステップ３３５で受信した筆跡情報を追加する（ステップ３３６）。この場合、印刷設定には、各媒体のサイズや色等の属性が含まれるので、各媒体に対する電子文書の印刷イメージを表すオブジェクトにも、これらの属性が反映される。また、左上点の座標、傾き角、レイヤといった位置関係もオブジェクトに反映される。
そして、表示情報生成部３４は、このようにして生成した表示情報を送信部３９に渡し、送信部３９が、表示情報を端末装置５０に送信する（ステップ３３７）。
これにより、端末装置５０では、個々の電子文書のイメージを独立したオブジェクトとして操作可能となる。
【００６６】
尚、上記動作例では、ステップ３３３において、指定された識別情報に対応し、かつ、指定された日時情報より前の日時情報に対応する関連識別情報を取得する例を挙げたが、これには限らない。例えば、指定された識別情報に対応し、かつ、指定された日時の範囲内にある日時情報に対応する関連識別情報を取得するようにしてもよい。この場合は、指定された日時の範囲内における媒体の貼り付け操作を時系列にアニメーションで再現する表示情報を、ステップ３３７で生成するようにしてもよい。
【００６７】
また、上記実施例では、複数の関連識別情報の中から１つの関連識別情報を特定するために日時情報を用いたが、日時情報の代わりに、会議等の作業単位の識別情報（例えば、会議ＩＤ）を用いてもよい。この場合は、ステップ３３３において、指定された識別情報に対応し、かつ、指定された作業単位に対応する関連識別情報を取得することになる。尚、作業単位の識別情報は、図１１−１（ａ）のような関連付け情報をＰＣ等のディスプレイに表示し、そのディスプレイ上でのユーザ操作によって設定できるようにすることが好ましい。この図１１−１（ａ）の例の場合、日時情報「2009/03/02 10:30」を選択して、２００９年３月２日の午前の会議の会議ＩＤとして「０３０２Ａ」を設定し、日時情報「2009/03/02 15:30」を選択して、２００９年３月２日の午後の会議の会議ＩＤとして「０３０２Ｐ」を設定することが考えられる。
以上により、本実施の形態の動作の説明を終了する。
【００６８】
尚、上記実施の形態では、２つの媒体にまたがるテープの貼り付け操作を、媒体の識別情報の切り替わりを検出することで認識したが、これには限らない。例えば、同じ媒体にテープを貼り付ける際に読み取られる位置情報は規則的な連続性を持つことに着目し、この規則的な連続性の途切れを検出することで認識してもよい。
【００６９】
また、上記実施の形態では、媒体を貼り付け直した場合、貼り付け直す前の媒体の関連付けも履歴として残すようにしたが、履歴として残さずに上書きしてもよい。その場合は、ステップ３３２において、指定された識別情報に対応する関連識別情報を、指定された日時又は日時の範囲に基づいて、或いは、指定された作業単位に基づいて、取得するかどうかを判定することになる。
【００７０】
ところで、本実施の形態では、テープ装置６０が関連付け情報を生成し、識別情報サーバ３０が関連付け情報を記憶して貼付状態の表示を制御し、文書サーバ２０が筆跡情報を記憶するようにした。しかしながら、これらの処理を如何なる装置で行うかについては種々のバリエーションが考えられる。例えば、関連付け情報の生成は、端末装置５０又は識別情報サーバ３０が行ってもよいし、関連付け情報の記憶や貼付状態の表示の制御は、端末装置５０又は文書サーバ２０が行ってもよい。また、筆跡情報の記憶は、識別情報サーバ３０が行ってもよい。
そこで、これらの処理をコンピュータ９０で行うものとして、コンピュータ９０のハードウェア構成について説明する。
【００７１】
図１３は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ／Ｆ９４と、ビデオメモリやディスプレイ等からなる表示機構９５と、キーボードやマウス等の入力デバイス９６とを備える。
【００７２】
尚、本実施の形態を実現するプログラムは、通信手段により提供することはもちろん、ＣＤ−ＲＯＭ等の記録媒体に格納して提供することも可能である。
【符号の説明】
【００７３】
１０，５０…端末装置、２０…文書サーバ、３０…識別情報サーバ、４０…画像形成装置、６０…テープ装置、８０…ネットワーク
【図１】
2010231357.tif 000003
【図２】
2010231357.tif 000004
【図３】
2010231357.tif 000005
【図４】
2010231357.tif 000006
【図５】
2010231357.tif 000007
【図６】
2010231357.tif 000008
【図７】
2010231357.tif 000009
【図８】
2010231357.tif 000010
【図９】
2010231357.tif 000011
【図１０】
2010231357.tif 000012
【図１１−１】
2010231357.tif 000013
【図１１−２】
2010231357.tif 000014
【図１２】
2010231357.tif 000015
【図１３】
2010231357.tif 000016